(57)【要約】【課題】  集塵室の電動送風機側吸引口に着脱可能に装着されるフィルタのメンテナンス性が向上すると共に、集塵室内にこぼれた塵埃も取り出し易くなる携帯型電気掃除機を提供する。【解決手段】  前部に集塵室が配置され、後部に電動送風機が内蔵された掃除機本体２と、集塵室に形成された装着口９から着脱可能に装着されるダストボックス１０と、集塵室の電動送風機側の吸引口に集塵室の装着口９から着脱可能に装着されるフィルタとを備え、装着口９を、集塵室の両側壁にわたって略円弧状に切り欠いて形成した。【選択図】        図１
2007330360.tif 000002
【特許請求の範囲】
【請求項１】
前部に集塵室が配置され、後部に電動送風機が内蔵された掃除機本体と、前記集塵室に形成された装着口から着脱可能に装着されるダストボックスと、前記集塵室の前記電動送風機側の吸引口に前記集塵室の装着口から着脱可能に装着されるフィルタとを備え、
前記装着口を、前記集塵室の両側壁にわたって略円弧状に切り欠いて形成したことを特徴とする携帯型電気掃除機。
【請求項２】
前記掃除機本体の集塵室側端部に、当該集塵室に連通すると共に床用吸込具が着脱可能に装着される吸込ノズルを突設する一方、前記掃除機本体の電動送風機側端部にはハンドルを設けて、前記吸込ノズルに前記床用吸込具を装着した状態で、前記掃除機本体が前記床用吸込具の上方に起立した状態で自立可能に構成したことを特徴とする請求項１記載の携帯型電気掃除機。
【請求項３】
前記掃除機本体が前記床用吸込具の上方に起立して自立した状態で、前記電動送風機の駆動用電源となる電池が前記電動送風機の略横方向に位置するように配置したことを特徴とする請求項２記載の携帯型電気掃除機。
【請求項４】
前記掃除機本体が前記床用吸込具の上方に起立して自立した状態で、前記電池の下部側を外側に向け、上部側を内側に向けて傾斜させて配置して、前記掃除機本体をその上部側が先細る形状に形成したことを特徴とする請求項３記載の携帯型電気掃除機。
【請求項５】
前記掃除機本体が前記床用吸込具の上方に起立して自立した状態で、前記ハンドルを前記電池のほぼ真上に向けて湾曲した形状に形成したことを特徴とする請求項３又は請求項４記載の携帯型電気掃除機。
【請求項６】
前記掃除機本体が前記床用吸込具の上方に起立して自立した状態で、前記ハンドルの上端部に、前記電池のほぼ真上に位置して下方に突出する凸部を形成したことを特徴とする請求項５記載の携帯型電気掃除機。
【発明の詳細な説明】
【技術分野】
【０００１】
本願発明は、掃除機本体を片手で手軽に持って掃除が可能な小型で軽量な携帯型電気掃除機に関するものである。
【背景技術】
【０００２】
従来から、手軽な電気掃除機として携帯型の電気掃除機が利用されている。携帯型電気掃除機は、掃除機本体を持ち上げて、本体自体を人手により移動させることにより清掃を行うものであり、いわゆるハンディクリーナーと称せられるものである。このような携帯型電気掃除機を使用することで、ユーザは、床面以外にも、例えば机上，棚上または車内など、普通の電気掃除機では清掃することが困難な箇所を容易に清掃することができる。このような携帯型電気掃除機が例えば特許文献１に記載されている。
【０００３】
特許文献１の図１〜図３に示された携帯型電気掃除機は、掃除機本体の前部に着脱可能に装着される集塵用のダストボックスがその側面全体を本体ケースの側壁で受ける形で構成されている。
【０００４】
また、特許文献１に示された携帯型電気掃除機は、その図９に示されているように、床用吸込具としての床用ブラシの上方に掃除機本体が起立した状態で自立可能に構成されており、駆動用電源である充電式電池は、自立状態で電装送風機の上部に位置するハンドル内に内蔵されている。
【特許文献１】特開２００６−３４７２０号公報（図１〜図３，図９）
【発明の開示】
【発明が解決しようとする課題】
【０００５】
上述したように、特許文献１に示された携帯型電気掃除機は、掃除機本体の前部（集塵室）に着脱可能に装着されるダストボックスがその側面全体を本体ケースの側壁（集塵室の側壁）で受ける形で構成されている。また、集塵室の電動送風機側の吸引口に配置されるフィルタ（エアインレットフィルタ）も集塵室の装着口から着脱可能に装着される。しかしながら、携帯型電気掃除機の場合、掃除機本体が小さく、集塵室の装着口も幅狭で手の幅よりも狭いことが多いので、上記フィルタのメンテナンスの際、フィルタの着脱が本体ケース（集塵室の側壁）に邪魔されて行い難いという課題があった。特に、特許文献１に示されたような自立可能なものは、自立状態ではフィルタが装着される集塵室の天面が見え難いので、より困難になる。
【０００６】
また、ダストボックスが装着される集塵室は箱状を成しているので、塵埃が溜まったダストボックスを集塵室から外した時に塵埃が集塵室内にこぼれると、それを箱状の集塵室から取り出すのも容易でなかった。
【０００７】
また、駆動用電源である充電式電池がハンドル内に内蔵されているので、自立状態では構成的に重量の重い電池が最上部に位置するため、重心が高くなって、自立状態での床面の傾斜や何かが当たったときに転倒しやすくなる。また、ハンドル位置と重心が近くなるため、掃除機本体が後方に傾倒される使用時には、梃子の原理で手にかかる荷重も大きくなってしまう。
【０００８】
そこで、本願発明はこのような課題を解決するためになされたものであり、集塵室の電動送風機側吸引口に着脱可能に装着されるフィルタのメンテナンス性が向上すると共に、集塵室内にこぼれた塵埃も取り出し易くなる携帯型電気掃除機を提供することを目的とするものである。
【０００９】
また、自立状態での安定性の向上を図ると共に、使用時に手にかかる荷重も低減することができる携帯型電気掃除機を提供することを目的とするものである。
【課題を解決するための手段】
【００１０】
上記のような目的を達成するために、本願の請求項１に係る発明は、前部に集塵室が配置され、後部に電動送風機が内蔵された掃除機本体と、前記集塵室に形成された装着口から着脱可能に装着されるダストボックスと、前記集塵室の前記電動送風機側の吸引口に前記集塵室の装着口から着脱可能に装着されるフィルタとを備え、前記装着口を、前記集塵室の両側壁にわたって略円弧状に切り欠いて形成したことを特徴とするものである。
【００１１】
請求項２に係る発明は、前記掃除機本体の集塵室側端部に、当該集塵室に連通すると共に床用吸込具が着脱可能に装着される吸込ノズルを突設する一方、前記掃除機本体の電動送風機側端部にはハンドルを設けて、前記吸込ノズルに前記床用吸込具を装着した状態で、前記掃除機本体が前記床用吸込具の上方に起立した状態で自立可能に構成したことを特徴とするものである。
【００１２】
請求項３に係る発明は、前記掃除機本体が前記床用吸込具の上方に起立して自立した状態で、前記電動送風機の駆動用電源となる電池が前記電動送風機の略横方向に位置するように配置したことを特徴とするものである。
【００１３】
請求項４に係る発明は、前記掃除機本体が前記床用吸込具の上方に起立して自立した状態で、前記電池の下部側を外側に向け、上部側を内側に向けて傾斜させて配置して、前記掃除機本体をその上部側が先細る形状に形成したことを特徴とするものである。
【００１４】
請求項５に係る発明は、前記掃除機本体が前記床用吸込具の上方に起立して自立した状態で、前記ハンドルを前記電池のほぼ真上に向けて湾曲した形状に形成したことを特徴とするものである。
【００１５】
請求項６に係る発明は、前記掃除機本体が前記床用吸込具の上方に起立して自立した状態で、前記ハンドルの上端部に、前記電池のほぼ真上に位置して下方に突出する凸部を形成したことを特徴とするものである。
【発明の効果】
【００１６】
本願の請求項１記載の発明によれば、ダストボックスが着脱可能に装着される集塵室の装着口を、集塵室の両側壁にわたって略円弧状に切り欠いて形成したことにより、携帯型電気掃除機特有の、手の拳が挿入できないような幅狭の装着口であっても、集塵室の両側壁にわたって略円弧状に切り欠かれた装着口に手の甲側を宛うようにして人差し指や中指等を使ってフィルタを容易に着脱することができる。従って、集塵室の電動送風機側吸引口に着脱可能に装着されるフィルタのメンテナンス性が向上する。また、集塵室内にこぼれた塵埃も、集塵室の装着口が集塵室の両側壁にわたって略円弧状に切り欠かれているので取り出し易くなる。
【００１７】
請求項２記載の発明のように、掃除機本体が床用吸込具の上方に起立した状態で自立可能に構成されたものの場合、自立状態ではフィルタが装着される集塵室の天面が見え難いので、上述した効果は特に有効である。
【００１８】
請求項３記載の発明によれば、掃除機本体が床用吸込具の上方に起立して自立した状態で、電動送風機の駆動用電源となる電池が電動送風機の略横方向に位置するように配置したことにより、前述した特許文献１記載のようにハンドルに内蔵したものに比べて重心位置が下がるので、自立状態での安定性が向上する。また、ハンドル位置と重心が遠くなるため、掃除機本体が後方に傾倒される使用時には、梃子の原理で手にかかる荷重も小さくなって、使用性も向上する。
【００１９】
請求項４記載の発明によれば、掃除機本体が床用吸込具の上方に起立して自立した状態で、電池の下部側を外側に向け、上部側を内側に向けて傾斜させて配置して、掃除機本体をその上部側が先細る形状に形成したことにより、掃除機本体の上部側が先細ると共に、その下部側が太ることで掃除機本体全体としての重心が更に下がるので、上述した安定性や使用性が更に向上する。
【００２０】
請求項５記載の発明によれば、掃除機本体が床用吸込具の上方に起立して自立した状態で、ハンドルを前記電池のほぼ真上に向けて湾曲した形状に形成したことにより、自立状態のままで湾曲したハンドルを手で持ち易くなると共に、重量の重い電池がハンドルのほぼ真下にくるので持ち上げたときの掃除機本体の振れも少なく、安定して持ち上げることができる。
【００２１】
請求項６記載の発明によれば、掃除機本体が床用吸込具の上方に起立して自立した状態で、ハンドルの上端部に、前記電池のほぼ真上に位置して下方に突出する凸部を形成したことにより、ハンドルを手で握った状態で小指に凸部が当たって手がずれないので、持ち運び時や使用時の安定性が向上すると共に、重量の重い電池が凸部のほぼ真下にくるので持ち上げたときに掃除機本体が後に振れて手の指と凸部の掛かりが悪くなることもなく、より安定して持ち上げることができる。
【発明を実施するための最良の形態】
【００２２】
以下、本願発明の実施形態を図面を参照して詳細に説明する。
【００２３】
図１は、本願発明の一実施形態に係る携帯型電気掃除機の自立状態時の側面図、図２はその内部構成を示す縦断面図、図３はそのダストボックを取り外した状態の側面図である。
【００２４】
本実施形態の携帯型電気掃除機１は、掃除機本体を片手で持ち上げて、本体自体を片手で移動させることにより清掃を行うものであり、略紡錘型の掃除機本体２と、本体２の前端（図１〜図３の自立状態では下端）側に着脱可能に装着される床用吸込具３と、本体２の後端（図１〜図３の自立状態では上端）側に一体的に形成された湾曲形状のハンドル４とを備えている。
【００２５】
掃除機本体２には、図２に示すように、前部（図２の自立状態では下部）に集塵室５が配置されて、当該集塵室５に連通すると共に床用吸込具３が着脱可能に装着される吸込ノズル６が突設されており、後部（図２の自立状態では上部）には電動送風機７とその駆動用電源である充電式電池８が内蔵されている。
【００２６】
上記集塵室５には、当該集塵室５に形成された装着口９から集塵用のダストボックス１０が着脱可能に装着されるようになっている。また、集塵室５の電動送風機７側の吸引口１１には、ダストボックス１０から漏れた塵埃が電動送風機７側に吸引されるのを防ぐエアインレットフィルタ１２が備えられている。このエアインレットフィルタ１２も、集塵室５の装着口９から着脱可能に装着されるものである。
【００２７】
集塵室５の装着口９は、図３に示すように集塵室５の両側壁にわたって略円弧状に切り欠いて形成されている。具体的には、装着口５の後端（図３の自立状態では上端）側で電動送風機７側の吸引口１１に沿うように切り欠いた第１の円弧１３ａと、装着口５の前端（図３の自立状態では下端）から上記第１の円弧１３ａの両端に達する第２の円弧１３ｂの２つの円弧で形成されている。なお、第２の円弧１３ｂの延長線は、略Ｓ字状に湾曲してハンドル４に連なっている。
【００２８】
ダストボックス１０は、上述したように両側壁にわたって略円弧状に切り欠いて形成された集塵室５の装着口９に、図１に示したように両側面を露出した状態に装着される。このダストボックス１０は樹脂製の集塵容器で、図２に示すように、装着状態で吸込ノズル６の吸引口６ａに対応する小さな開口１０ａを有すると共に、エアインレットフィルタ１２が装着される電動送風機７側の吸引口１１に対応する側が大きく開口し、この開口１０ｂに擂り鉢状のダストフィルタ１４がヒンジ１５によって開閉可能に装着されるように構成されている。
【００２９】
ダストフィルタ１４は、不織布１６を縫製加工などによってダストフィルタパッキン１７の通風口に取り付けて一体的に構成したものである。不織布１６が取り付けられたダストフィルタパッキン１７の底部枠１７ａには振動体としてコイル状のスプリング１８が取り付けられている。
【００３０】
一方、本実施形態の携帯型電気掃除機１は、前述したように掃除機本体２に一体的に突設された吸込ノズル６に床用吸込具３を装着した状態で、図１〜図３に示すように掃除機本体２が床用吸込具３の上方に起立した状態で自立可能に構成されている。
【００３１】
上記吸引ノズル６は、掃除機本体２前端から所定長突出した筒状体で、その先端には斜めにカットしたノズル吸込口６ｂが形成されており、床と壁などのコーナー部分や隙間などを清掃する場合に用いられる。
【００３２】
一方、床用吸込具３は、平面視略Ｔ字状の吸込具であって、幅方向に延びるケーシング１９と、ケーシング１９の中央後端に連結されて上記吸込ノズル６が挿入される中空形状の接続用ベント２０とを備えている。ケーシング１９の前部底面には、幅方向に延びる吸込口２１が形成されている。また、ケーシング１９内には、上記吸込口２１に臨ませて回転ブラシ２２が備えられている。この回転ブラシ２２は、ケーシング１９に内蔵されたブラシ用モータ２３により回転駆動され、吸込口２１を介して床面に接して塵埃を掻き上げ、効率良く塵埃を吸い込むことができる。
【００３３】
接続用ベント２０は、ケーシング１９を介して吸込口２１に連通する中空体で、その長さは本体２側の吸込ノズル６と略同一で、その前端がケーシング１９に上下に回動可能に連結されることで、前端を中心として上下方向に揺動する。これにより、ケーシング１９は、本体２に対して上下方向に角度位置が変化する。よって、本体２が後方に傾倒しても吸引口２１（回転ブラシ２２）は、床面から離れないようになっている。
【００３４】
また、床用吸込具３には、例えば、充電式電池８と電気的に接続された充電用端子（図示せず）が備えられており、この充電用端子が、外部の電源に接続された電源側端子(図示せず)と接続されることで、自立状態を保って充電することができるように構成されている。
【００３５】
一方、電動送風機７は、集塵室５の吸引口１２に面して上記吸込ノズル６や床用吸込具３から集塵室５を介して空気を吸引する吸引用ファン２４と、この吸引用ファン２４を回転駆動する吸引用モータ２５とから構成されている。吸引用ファン２４は、吸引用モータ２５よりも大径に形成されている。
【００３６】
上記電動送風機７の吸引用モータ２５やブラシ用モータ２３の駆動用電源となる充電式電池８は、図２に示すように、自立状態で、電動送風機７の略横方向に位置するように配置されている。
【００３７】
さらに、充電式電池８は、その下部側を外側（背面側）に向け、上部側を内側に向けて傾斜して配置されており、これにより掃除機本体２をその上部側が先細る形状に形成している。この配置構成は、電動送風機７の吸引用ファン２４とそのモータ２５の径の違いを有効利用して、径の大きな吸引用ファン２４側から径の小さいモータ２５側に傾斜して配置したものである。
【００３８】
また、上記充電式電池８の配置位置に対応する掃除機本体２の外表面には、図１，図３に示すように、吸引用ファン２４によって吸引した空気を外部に排出するための複数の排気孔２６が形成されている。
【００３９】
一方、ハンドル４は、自立状態で、掃除機本体２の前面側上端部より上記充電式電池８のほぼ真上に向けて湾曲した形状に形成されている。さらに、ハンドル４の上端部には、充電式電池８のほぼ真上に位置して下方に突出する凸部２７が形成されている。
【００４０】
上記ハンドル４の掃除機本体２側の表面には、当該携帯型電気掃除機１を動作させるための電源スイッチ２８が備えられている。この電源スイッチ２８は、例えば２段階にスイッチを入れることができるように構成されており、１段階スイッチを入れると、充電式電池８と電動送風機７のモータ２５とが電気的に接続され、床用吸込具３が装着された状態で、さらにもう１段階スイッチを入れると充電式電池８とブラシ用モータ２３とが電気的に接続される。
【００４１】
以上の構成において、ユーザは、自立状態の携帯型電気掃除機１のハンドル４を片手で掴むようにして持ち上げ、さらに、電源スイッチ２８を入れることで携帯型電気掃除機１を移動させながら、床用吸込具３から塵埃を吸引して清掃を行うができる。
【００４２】
すなわち、掃除機本体２に床用吸込具３が装着された状態で、電源スイッチ２８が１段階入れられると、吸引用モータ２５が駆動され、吸引用ファン２４が回転駆動されて、ファン２４の前方から後方へ向かう空気の流れが生じる。これにより、床用吸込具３の吸込口２１から集塵室５内に向かう空気の流れ（吸引力）が生じ、床用吸込具３を床面に着床させることで、床面上の塵埃が吸込口２１から吸い込まれ、ケーシング１９内および接続用ベント２０内（吸込ノズル６内）を通過して、集塵室５に装着されたダストボックス１０のダストフィルタ１４により捕捉され、ダストボックス１０内に溜められる。そして、塵埃が除去された後の空気は、吸引用モータ２５及び充電式電池８を冷却しながら掃除機本体２の排気孔２６から機外に排出される。また、ダストボックス１０内に溜められた塵埃は、掃除機本体２からダストボックス１０を取り外して廃棄することができる。
【００４３】
また、床用吸込具３が装着された状態で、電源スイッチ２８がもう１段階入れられると、充電式電池８と床用吸込具３のブラシ用モータ２３とが電気的に接続されて、ブラシ用モータ２３が駆動されて回転ブラシ２２が回転駆動される。この状態で、床用吸込具３を床面に着床させると、回転ブラシ２２が床面上の塵埃を掻き上げ、より良好に塵埃が吸引される。
【００４４】
一方、床用吸込具３を掃除機本体２から外すと、吸引ノズル６が現れる。そして、この状態で、電源スイッチ２８を入れることで、吸引ノズル６のノズル吸込口６ｂから塵埃を吸引することができる。これにより、床の隅に吸引ノズル６の吸込口６ｂを沿わせることで、床の隅に溜まった塵埃も良好に吸引することができる。
【００４５】
上述したような掃除が繰り返し行われると、エアインレットフィルタ１２に塵埃が付着して目詰まりするので、定期的にエアインレットフィルタ１２を取り外してメンテナンスを行う必要がある。
【００４６】
このメンテナンスの際、集塵室５の装着口９は集塵室５の両側壁にわたって略円弧状に切り欠いて形成されているので、携帯型電気掃除機特有の、手全体が挿入できないような幅狭の装着口であっても、集塵室５の両側壁にわたって略円弧状に切り欠かれた装着口９に手の甲側を宛うようにして人差し指や中指等を使ってエアインレットフィルタ１２を容易に着脱することができる。
【００４７】
従って、エアインレットフィルタ１２のメンテナンス性が向上する。また、集塵室５内にこぼれた塵埃も、集塵室５の装着口９が集塵室５の両側壁にわたって略円弧状に切り欠かれているので取り出し易くなる。
【００４８】
本実施形態のように、掃除機本体２が床用吸込具３の上方に起立した状態で自立可能に構成されたものの場合、自立状態ではエアインレットフィルタ１２が装着される集塵室５の天面が見え難いので、上述した作用効果は特に有効である。
【００４９】
また、掃除をすると、吸い込まれた塵埃のうち比較的大きな塵埃はダストボックス１０内に溜まるが、細かな塵埃の一部はダストフィルタ１４の不織布１６に付着する。従来は、ダストフィルタをダストボックスから外して、ダストフィルタを振るなどして除塵していたが、特にダストフィルタの不織布の細かな目の中に入った細塵はダストフィルタを振っただけではなかなか除塵できず、きれいに除塵するのは容易ではなかった。
【００５０】
そこで、本実施形態では、前述したように、不織布１６が取り付けられたダストフィルタパッキン１７に振動体としてスプリング１８を取り付けている。このスプリング１８を図４（ａ）に示す矢印方向に引っ張って図４（ｂ）に示すように伸ばしてから離すことにより、ダストフィルタ１４の不織布１６に振動を与えて、不織布１６の目の中に入った細塵を効率良く除塵することができる。図４（ｃ）に示すように、スプリング１８を前後あるいは左右に弾いてダストフィルタ１４の不織布１６に振動を与えることもできる。このようにして除塵すると、ダストフィルタ１４の不織布１６に付着して細塵はダストボックス１０内の底に溜まるので、後は、ヒンジ１５を介して取り付けられたダストフィルタ１４を持ち上げて図４（ｄ）に示すようにダストボックス１０の開口１０ｂを開放し、ダストボックス１０を逆さにして溜まった塵埃を捨てれば良い。なお、振動体としてはスプリング１８が効率良く振動を与えることができるので好ましいが、他の振動体を用いることもできる。
【００５１】
このように、ダストフィルタ１４の不織布１６が取り付けられるダストフィルタパッキン１７に振動体を設けるという簡単な構成で、効率良くダストフィルタ１４の不織布１６の目に入った細塵を除去することができる。
【００５２】
また、この携帯型電気掃除機１は、床用吸込具３のケーシング１９を床面に着床させて自立させることができるので、携帯型電気掃除機１を使用しない場合に自立状態とさせておけば、携帯型電気掃除機１により占有されるスペースを小さくすることができる。また、自立状態においてケーシング１９が床面に着床しているので、容易に清掃動作に移行することができる。
【００５３】
本実施形態では、上記自立状態において、充電式電池８が電動送風機７の略横方向に位置するように配置されているため、従来の特許文献１記載のようにハンドルに内蔵したものに比べて重心位置が下がるので、自立状態での安定性が向上する。
【００５４】
また、ハンドル４の位置と重心が遠くなるため、掃除機本体２が後方に傾倒される使用時には、梃子の原理で手にかかる荷重も小さくなって、使用性も向上する。
【００５５】
さらに、自立状態で、充電式電池８の下部側を外側に向け、上部側を内側に向けて傾斜させて配置して、掃除機本体２をその上部側が先細る形状に形成したことにより、自立状態の掃除機本体２の上部側が先細ると共に、その下部側が太ることで、掃除機本体２全体としての重心が更に下がるので、上述した安定性や使用性が更に向上する。
【００５６】
また、自立状態で、ハンドル４を充電式電池８のほぼ真上に向けて湾曲した形状に形成したことにより、自立状態のままで湾曲したハンドル４を手で持ち易くなると共に、重量の重い充電式電池８がハンドル４のほぼ真下にくるので持ち上げたときの掃除機本体２の振れも少なく、安定して持ち上げることができる。
【００５７】
さらに、自立状態のハンドル４の上端部に、充電式電池８のほぼ真上に位置して下方に突出する凸部２７を形成したことにより、ハンドル４を手で握った状態で小指に凸部２７が当たって手がずれないので、持ち運び時や使用時の安定性が向上すると共に、重量の重い充電式電池８が凸部のほぼ真下にくるので持ち上げたときに掃除機本体２が後に振れて手の指と凸部２７の掛かりが悪くなることもなく、より安定して持ち上げることができる。
【図面の簡単な説明】
【００５８】
【図１】本願発明の一実施形態に係る携帯型電気掃除機の自立状態時の側面図。
【図２】同じく、その内部構成を示す縦断面図。
【図３】同じく、そのダストボックを取り外した状態の側面図。
【図４】上記ダストボックスの構成及び作用を示す説明図。
【符号の説明】
【００５９】
１  携帯型電気掃除機
２  掃除機本体
３  床用吸込具
４  ハンドル
５  集塵室
６  吸込ノズル
７  電動送風機
８  充電式電池
９  装着口
１０  ダストボックス
１１  吸引口
１２  エアインレットフィルタ
１３ａ  第１の円弧
１３ｂ  第２の円弧
１４  ダストフィルタ
１６  不織布
１７  ダストフィルタパッキン
１８  スプリング
１９  ケーシング
２０  接続用ベント
２１  吸込口
２２  回転ブラシ
２３  ブラシ用モータ
２４  吸引用ファン
２５  吸引用モータ
２７  凸部
２８  電源スイッチ
【図１】
2007330360.tif 000003
【図２】
2007330360.tif 000004
【図３】
2007330360.tif 000005
【図４】
2007330360.tif 000006